(57)【要約】【課題】この発明は、簡易な構成で、簡便にして容易な修理交換を実現したうえで、その設計を含む製作の自由度を向上し得るようにすることにある。【解決手段】リール本体１０の底部から後部及び脚部１３に亘る外壁の一部を、リール本体１０に装着される第１のカバー部材２０と、該第１のカバー部材２０上に積重状に装着される第２のカバー部材２１とで分割形成されて一体化されるカバー体１８で構成し、所期の目的を達成したものである。【選択図】      図１
2005211038.tif 000002
【特許請求の範囲】
【請求項１】
上部に釣竿装着部が形成された脚部を有するリール本体の前部に、釣糸案内部を有するロータ及び釣糸が巻回されるスプールを備えた魚釣用スピニングリールにおいて、
前記リール本体の外壁の一部を形成するものであって、前記リール本体に装着される第１のカバー部材と、該第１のカバー部材上に装着される第２のカバー部材とを有するカバー体を具備したことを特徴とする魚釣用スピニングリール。
【請求項２】
前記カバー体は、前記リール本体の前記釣竿装着部と逆側の底部から後端部、前記脚部に亘る範囲に設けられることを特徴とする請求項１記載の魚釣用スピニングリール。
【請求項３】
前記カバー体は、前記第１及び第２カバー部材が分離可能に積重配置されて前記リール本体に取付けられることを特徴とする請求項１又は２記載の魚釣用スピニングリール。
【発明の詳細な説明】
【技術分野】
【０００１】
この発明は、釣竿装着部が形成された脚部を有するリール本体の前部に、釣糸案内部を有するロータ及び釣糸が巻回されるスプールを備えた魚釣用スピニングリールに係り、特に、そのリール本体の改良に関する。
【背景技術】
【０００２】
周知のように魚釣用スピニングリールには、釣糸巻取り駆動機構等の駆動機構が収容されたリール本体の前部に釣糸案内部を有するロータ及び釣糸が巻回されるスプールが配されている。そして、このリール本体には、その上部に釣竿装着部が形成された脚部が延設されると共に、その側部に上記駆動機構（図示せず）に連結されるハンドルが回転操作可能に設けられる。
【０００３】
このような魚釣用スピニングリールにあっては、そのリール本体の周壁部に上記脚部、ロータ、スプール、ハンドル等が配されると共に、その型成形時のパーティングラインが存在するするために、銘板や機能表示を施して所望の視認性を確保することのできる表示スペースを採ることが困難であるうえ、リール本体の材質等により、その表示方法に制約を有することで、その設計を含む製作の自由度が劣るという不都合を有する。
【０００４】
そこで、リール本体の後面から釣竿装着部の設けられる脚部の後面に亘ってリール本体の左右方向（ハンドル軸方向）全幅に亘る幅寸法を有したカバー部材を設けて、このカバー部材の表面を、銘板や機能表示を施す表示スペースとして用いることにより、十分な表示スペースを確保したうえで、表示方法の多様化を実現するように構成したものが提案されている（例えば、特許文献１参照。）。
【特許文献１】実用新案登録番号第２５５０４１０号公報
【発明の開示】
【発明が解決しようとする課題】
【０００５】
しかしながら、上記魚釣用スピニングリールでは、比較的広い表示スペースを確保することが可能であるうえ、そのカバー部材が損傷した場合にもその交換が比較的、容易に実現することが可能であるが、実際の釣り場での移動時や実釣り時において、リール本体の底部から後端部に亘る部位が、特に周囲の岩等にぶつかり損傷したり、破損したりして、度々リール本体自体の交換が必要となることがあるために、その修理交換が非常に面倒であると共に、不経済であるという問題を有する。
【０００６】
この発明は上記の事情に鑑みてなされたもので、簡易な構成で、簡便にして容易な修理交換を実現し得、且つ、その設計を含む製作の自由度を向上し得るようにした魚釣用スピニングリールを提供することを目的とする。
【課題を解決するための手段】
【０００７】
この発明は、上部に釣竿装着部が形成された脚部を有するリール本体の前部に、釣糸案内部を有するロータ及び釣糸が巻回されるスプールを備えた魚釣用スピニングリールにおいて、前記リール本体の外壁の一部を形成するものであって、前記リール本体に装着される第１のカバー部材と、該第１のカバー部材上に装着される第２のカバー部材とを有するカバー体を設けて構成したものである。
【０００８】
上記構成によれば、カバー体は、第１及び第２のカバー部材で協働してリール本体の一部の所望の部位を覆うことで、双方の表面を外観保護スペースとしたり、双方の表面を利用した色調外観デザインの選択が可能となり、その設計を含む製作の自由度の向上が図れる。
【０００９】
また、これによれば、カバー体がリール本体の損傷を効果的に防止し、仮にカバー体自体が損傷した場合にも、その損傷したカバー部材だけを交換することで、修理が可能なことにより、修理交換の簡略化が図れると共に、経済的である
。
【発明の効果】
【００１０】
この発明によれば、簡易な構成で、簡便にして容易な修理交換を実現し得、且つ、その設計を含む製作の自由度を向上し得るようにした魚釣用スピニングリールを提供することができる。
【発明を実施するための最良の形態】
【００１１】
以下、この発明の実施の形態について、図面を参照して詳細に説明する。
【００１２】
図１は、この発明の一実施の形態に係る魚釣用スピニングリールの外観構成を示すもので、リール本体１０は、外壁を構成するボデイカバー１１が被着されて止め螺子１２を用いて螺着される。このリール本体１０の上部に脚部１３が延設され、この脚部１３の先端には、図示しない釣竿のリールシートに装着される釣竿装着部１３１が設けられる。そして、このリール本体１０には、その両側部にハンドル軸１４が架設されて配され、このハンドル軸１４の一端部には、操作ハンドル１５が回転操作可能に嵌着される。
【００１３】
また、上記リール本体１０には、その前部に反転可能な釣糸案内部（図示しないラインローラを含む）１６１を有するロータ１６が回転自在に配され、このロータ１６は、上記リール本体１０に内装される図示しない巻取り駆動機構に連結される。そして、リール本体１０の前部には、図示しない釣糸が巻回されるスプール１７がロータ１６に対応して図示しないオシレーティング駆動機構を介して前後方向に移動自在に配される。
【００１４】
これら巻取り駆動機構（図示せず）及びオシレーティング駆動機構（図示せず）は、上記操作ハンドル１５が回転操作されてハンドル軸１４が回転されると、その回転に連動してロータ１６を回転駆動すると共に、スプール１７を前後方向に往復駆動して該スプール１７への上記釣糸（図示せず）の巻回を実行する。
【００１５】
さらに、上記リール本体１０及びボデイカバー１１には、凹部１１１が、例えばリール本体１０の底部から後端部、上部の脚部側に亘る範囲（領域）に形成される。そして、この凹部１１１には、外壁の一部を構成するカバー体１８が閉塞するように被着され、このカバー体１８の後端部には、ロータ１６の逆転作動を防止するストッパーレバー１９が操作可能に突設される（図２参照）。
【００１６】
カバー体１８は、例えば図３及び図４に示すように略Ｌ字形状をした内側カバー及び外側カバーを形成する第１及び第２のカバー部材２０，２１が積重状に配置されて構成される。これら第１及び第２のカバー部材２０，２１は、例えば外観デザインを考慮してステンレス、銅合金、アルミニウム合金等の金属材料や合成樹脂材料を適宜に組合わせて形成したり、あるいは金属材料や合成樹脂材料で形成後に表面にメッキやドライコーティング等の表面処理が施される。また、第１及び第２のカバー部材２０，２１の色調を互いに変えたり、さらに、これら第１及び第２のカバー部材２０，２１に、銘板を取付けたり、あるいは機能表示を施すようにしてもよい。
【００１７】
このうち第１のカバー部材２０には、その上面部に段状の凹状載置部２０５が設けられ、この凹状凹状載置部２０５には、貫通孔２０１が上記脚部１３に形成された取付孔１３２（図５参照）に対応して設けられると共に、ストッパーレバー挿通孔２０２が上記リール本体１０の図示しない逆転防止機構の連結部１０１に対応して設けられる。また、第１のカバー部材２０の凹状載置部２０５には、図５に示すように開口２０３が上記リール本体１０に設けられる取付螺子孔１０２に対応して設けられる。そして、この第１のカバー部材２０には、位置決め用の係合片２０４が上記ボデイカバー１１に形成された係合孔１１２に対応して設けられ（図３参照）、この係合片２０４が上記ボデイカバー１１の係合孔１１２に係合されて、該ボデイカバー１１の凹部１１１に位置決めされて被着される。
【００１８】
他方の第２のカバー部材２１には、取付螺子部２１１（図３及び図４参照）が上記第１のカバー部材２０の貫通孔２０１に対応して設けられると共に、ストッパーレバー挿入孔２１２が上記第１のカバー部材２０のストッパーレバー挿通孔２０２及び上記リール本体１０の逆転防止機構（図示せず）の連結部１０１に対応して設けられる（図６参照）。また、第２のカバー部材２１には、取付孔２１３が上記第１のカバー部材２０の開口２０３及び上記リール本体１０の螺子孔１０２に対応して設けられる。そして、この第２のカバー部材２１には、位置決め用の係合片２１４が上記第１のカバー部材２０に形成される図示しない係合孔に対応して設けられ、この係合片２１４が、上記第１のカバー部材２０の係合孔（図示せず）に係合されて、該第１のカバー部材２０の凹状載置部２０５上に収容されて積重配置される。
【００１９】
ここで、第１のカバー部材２０の凹状載置部２０５に載置された第２のカバー部材は、双方のリール本体１０の底部から後部及び脚部１３に装着される範囲に亘って外側面が略面一となるように装着される。これにより、リール本体１０の底部から後部にかけての範囲は、第１のカバー部材２０の外側に配置される第２のカバー部材２１で強度的に保護される（図１及び図２参照）。
【００２０】
また、上記第２のカバー部材２１のリール本体１０の後部から脚部１３にかけての範囲は、図２に示すようにリール本体１０の左右方向幅より幅狭に形成され、そして、第１のカバー部材２０がリール本体１０の左右方向の略全幅に亘る幅に形成されて、第２のカバー部材２１の左右方向の外方に張り出し配置されている。そのため、リール本体１０の左右方向の外力に対しては、第１のカバー部材２０で保護されると共に、リール本体１０の底部から後部及び脚部１３にかけての後側面は、第１のカバー部材２０より外方に張り出している第２のカバー部材２１で強度的に保護される。
【００２１】
上記構成により、第１のカバー部材２０は、その係合片２０４をボデイカバー１１の係合孔１１２に係合させて該ボデイカバー１１の凹部１１１を閉塞するように被着される（図７参照）。ここで、第１のカバー部材２０の貫通孔２０１が、脚部１３の取付孔１３２に対向され、そのストッパーレバー挿通孔２０１が上記リール本体１０の逆転防止機構（図示せず）の連結部１０１に対向され、その開口２０３が上記リール本体１０の取付螺子孔１０２に対向される。
【００２２】
そして、この第１のカバー部材２０上の凹状載置部２０５には、第２のカバー部材２１が、その取付螺子部２１１を貫通孔２０１に挿通させると共に、その係合片２１４を該第１のカバー部材２０の係合孔（図示せず）に係合させて積重配置される。ここで、第２のカバー部材２１は、第１のカバー部材２０上の凹状載置部２０５に位置決めされて表面に段差がないように収容保持され、そのストッパーレバー挿入孔２１２が第１のカバー部材２０のストッパーレバー挿通孔２０２に対向される。同時に、第２のカバー部材２１は、その取付孔２１３が第１のカバー部材２０の開口２０３を介してリール本体１０の取付螺子孔１０２に対向される。
【００２３】
この状態で、第２のカバー部材２１のストッパーレバー挿入孔２１２にストッパーレバー１９が挿入されて第１のカバー部材２０のストッパーレバー挿通孔２０２を挿通させて上記リール本体１０の逆転防止機構（図示せず）の連結部１０１に取付螺子２２を介して操作可能に取付けられる（図８参照）。同時に、第２のカバー部材２１は、図８に示すようにその取付螺子部２１１に上記脚部１３の取付孔１３２に挿入した止め螺子２３が螺着されると共に、取付孔２１３に止め螺子２４が挿入されて該止め螺子２４がリール本体１０の螺子孔１０２に螺着されて位置決め固定される。
【００２４】
このように、上記魚釣用スピニングリールは、リール本体１０の底部から後部及び脚部１３に亘る外壁の一部を、リール本体１０に装着される第１のカバー部材２０と、該第１のカバー部材２０上に積重状に装着される第２のカバー部材２１とで分割形成されて一体化されるカバー体１８で構成したことを特徴としている。
【００２５】
これによれば、積重配置される第１及び第２のカバー部材２０，２１で協働してリール本体１０の外壁の一部を形成してリール本体１０の底部から後部及び脚部１３の外側部を保護したので、例えば双方の表面を外観保護スペースとしたり、双方の表面を利用した色調外観デザインの選択が可能となるため、リール本体１０の保護、外観の設計を含む製作の自由度の向上が図れる。
【００２６】
また、これによれば、カバー体１８である第１及び第２のカバー部材２０，２１がリール本体１０の実用時や釣り場の移動又は携帯時に発生しやすい損傷を効果的に防止し、仮にカバー体自体が損傷した場合にも、リール本体１０ではなく、少なくとも損傷した一方のカバー部材を交換することで、修理が可能となることにより、修理交換の簡略化が図れる。
【００２７】
特に、カバー体１８を、外力の影響を受けやすいリール本体１０の釣竿装着部１３１と逆側の部位（底部）から後端部、脚部１３に亘る範囲に配することにより、実際の釣り場での移動時や実釣り時において、周囲の岩等にぶつけて損傷するのが、カバー体１８を構成する第１及び第２のカバー部材２０，２１の双方、あるいは一方となることで、リール本体自体の交換修理が無くなるため、容易な修理交換が実現される。
【００２８】
なお、上記実施の形態では、カバー体１８を、リール本体１０の釣竿装着部１３１と逆側の部位（底部）から後端部、脚部１３に亘る範囲に配するように構成した場合で説明したが、これに限ることなく、その他、リール本体１０の外壁を構成するボデイカバー１１の他の一部においても適用可能であり、略同様の効果が期待される。
【００２９】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３０】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３１】
【図１】この発明の一実施の形態に係る魚釣用スピニングリールの外観構成を示した図である。
【図２】図１をリール本体の後端部より見た状態を示した図である。
【図３】図１のカバー体の第１及第２のカバー部材をリール本体から取り外した状態を断面して示した図である。
【図４】図１の第１及び第２のカバー部材を分離して一部を断面して示した図である。
【図５】図１のリール本体と第１のカバー部材との配置関係を示した図である。
【図６】図１のリール本体と第１及び第２のカバー部材との配置関係を示した図である。
【図７】図１のリール本体と第１のカバー部材と第２のカバー部材との配置関係を示した図である。
【図８】図１の組付け状態の一部を断面して示した図である。
【符号の説明】
【００３２】
１０…リール本体、１０１…連結部、１０２…取付螺子孔、１１…ボデイカバー、１１１…凹部、１１２…係合孔、１２…止め螺子、１３…脚部、１３１…釣竿装着部、１３２…取付孔、１４…ハンドル軸、１５…操作ハンドル、１６…ロータ、１６１…釣糸案内部、１７…スプール、１８…カバー体、１９…ストッパーレバー、２０…第１のカバー部材、２０１…貫通孔、２０２…ストッパーレバー挿通孔、２０３…開口、２０４…係合片、２０５…凹状載置部、２１…第２のカバー部材、２１１…取付螺子部、２１２…ストッパーレバー挿入孔、２１３…取付孔、２１４…係合片、２２…取付螺子、２３，２４…止め螺子。
【図１】
2005211038.tif 000003
【図２】
2005211038.tif 000004
【図３】
2005211038.tif 000005
【図４】
2005211038.tif 000006
【図５】
2005211038.tif 000007
【図６】
2005211038.tif 000008
【図７】
2005211038.tif 000009
【図８】
2005211038.tif 000010